(57)【要約】【課題】一方の機器収容用ラックは通路側に向けて排気口が配設され、他方の機器収容用ラックは通路側に向けて冷却用空気の給気口が配設されるようにして、機器収容用ラックが配置された場合であっても、冷却効率の向上を図ることができる電算機室用空調システムを提供する。【解決手段】通路４を挟んで両側に配設された機器収容用ラック３Ａ、３Ｂ同士の上面間に架け渡され、通路４と機器収容用ラック３Ａ、３Ｂの上方空間とを区画する上部遮蔽体２０と、この上部遮蔽体２０と通路４の床面とに接続され、通路４を、通路４を挟んで両側に配設された一方の機器収容用ラック３Ａ側の空間と、他方の機器収容用ラック３Ｂ側の空間とに区画する仕切壁２６と、を備えており、上部遮蔽体２０には、仕切壁２６によって区画された一方の機器収容用ラック３Ａ側の空間と機器収容用ラック３Ａ、３Ｂの上方空間とを連通する通気部２３が形成されている。【選択図】図２
2011089687.tif 000002
【特許請求の範囲】
【請求項１】
電算機室内において床下に内部空間を有する通路を挟んで両側に設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記機器収容用ラックに収容された機器を冷却した後、前記機器収容用ラックの上方の空間を流動して前記空気調和装置に再び吸引される電算機室用空調システムであって、
前記通路を挟んで両側に配設された前記機器収容用ラック同士の上面間に架け渡され、前記通路と前記機器収容用ラックの上方空間とを区画する上部遮蔽体と、この上部遮蔽体と前記通路の床面とに接続され、前記通路を挟んで両側に配設された一方の機器収容用ラック側の空間と、他方の機器収容用ラック側の空間とに区画する仕切壁と、を備えており、
前記上部遮蔽体には、前記仕切壁によって区画された前記一方の機器収容用ラック側の空間と前記機器収容用ラックの上方空間とを連通する通気部が形成されていることを特徴とする電算機室用空調システム。
【請求項２】
前記仕切壁は、前記通路の幅方向に移動可能とされていることを特徴とする請求項１に記載の電算機室用空調システム。
【請求項３】
前記通気部に、排気ファンが配設されていることを特徴とする請求項１または請求項２に記載の電算機室用空調システム。
【請求項４】
前記通路のうち、前記仕切壁によって区画された前記他方の機器収容用ラック側の空間の端部には、端部遮蔽体が配設されていることを特徴とする請求項１から請求項３のいずれか一項に記載の電算機室用空調システム。
【請求項５】
前記仕切壁は、ロールカーテン部のシート部とされており、前記ロールカーテン部は、前記シート部を収容する収容部を備えており、前記収容部から引き出される前記シート部の長さが変更可能に構成されていることを特徴とする請求項１から請求項４のいずれか一項に記載の電算機室用空調システム。
【請求項６】
前記通路を挟んで両側に設置された前記機器収容ラックのうちの少なくとも一列は、免震台上に載置され、
前記通路を挟んだ一方の前記機器収容用ラックにおいては、その上面に、前記通路の延在方向に向けて延びる支持バーが配設され、
前記上部遮蔽体は、その一端が、前記支持バーの上に摺動可能に載置され、他端が、前記通路を挟んだ他方の前記機器収容用ラックに固定支持されており、
前記支持バーの前記通路の延在方向長さが、前記通路の延在方向における前記機器収容用ラック同士の相対可動範囲長さに対応する長さに設定され、前記上部遮蔽体における前記通路の延在方向と直交する方向の長さが、前記通路の延在方向と直交する方向における前記機器収容用ラック同士の相対可動範囲長さに対応する長さに設定されており、前記免震台とともに前記機器収容用ラックが移動した場合にも、前記上部遮蔽体が前記支持バーから落下しない構成とされていることを特徴とする請求項１から請求項５のいずれか一項に電算機室用空調システム。
【発明の詳細な説明】
【技術分野】
【０００１】
本発明は、電算機室用空調システムに関する。
【背景技術】
【０００２】
従来、ある空間の空気の流れや温度を調整するための種々の空調システムが提案されている。
これら空調システムの中には、高集約化・高発熱化の傾向にあるＩＴ機器や通信装置等が設置される電算機室内において、機器周辺の空気の流れや温度を調整する電算機室用空調システムが知られている。
電算機室用空調システムとしては、通路を挟んで配置された複数の機器収容用ラックと、機器収容用ラックの側方であって、通路に対向配置された空気調和装置とを備えたものがある。
【０００３】
このような構成のもと、空気調和装置が、冷却用空気を下方に排出すると、その冷却用空気が通路に送られて、機器収容用ラックに吸い込まれる。そして、その冷却用空気は、機器収容用ラックに収容された機器を冷却することにより暖められた後、機器収容用ラックから排出される。そして、その暖められて排出された空気は、電算機室の上方空間を流動して、空気調和装置に吸い込まれて、再び冷却されて吹き出される。
これにより、電算機室内の空気の流れや温度がコントロールされる。
【０００４】
ところが、暖められて機器収容用ラックから排出された空気の一部は、空気調和装置に送られることなく、上方空間からダイレクトに通路に還流されてしまう場合がある。その場合、通路に還流された空気は、暖められた状態のまま、再び機器収容用ラックに吸い込まれてしまうことにより、機器の冷却効率を低下させてしまう。
そこで、対向する機器収容用ラックの間の通路の上面にわたって遮蔽体を設けるとともに通路の端部に壁部を設けて通路空間内を密閉し、通路空間内に温められた空気が混入しないように構成したものが提案されている（例えば、特許文献１の第９図参照。）。
【特許文献１】特許第３８３５６１５号公報
【発明の概要】
【発明が解決しようとする課題】
【０００５】
ところで、特許文献１に記載された電算機室用空調システムにおいては、通路を挟んで配置された機器収容用ラックは、通路側から冷却用空気を吸い込み、暖められた空気は通路空間外に排気される構成とされている。すなわち、通路を挟んで配置された機器収容用ラックは、互いの冷却用空気の給気口が対向するように、配置されていることになる。
【０００６】
しかしながら、電算機室においては、機器収容用ラックの配置パターンは様々であり、通路を挟んで配置された機器収容用ラックにおいて、一方の機器収容用ラックは通路側に向けて排気口が配設され、他方の機器収容用ラックは通路側に向けて冷却用空気の給気口が配設されるようにして、機器収容用ラックが配置されることも多い。すると、特許文献１に記載されているように通路内を区画して通路空間を設けたとしても、この通路空間内に、一方の機器収容用ラックから暖められた空気が排気されることになり、機器収容用ラック内部を効率的に冷却することができなくなってしまうといった問題があった。
【０００７】
本発明は、このような事情に鑑みてなされたものであって、一方の機器収容用ラックは通路側に向けて排気口が配設され、他方の機器収容用ラックは通路側に向けて冷却用空気の給気口が配設されるようにして、機器収容用ラックが配置された場合であっても、機器収容用ラックに収容された機器類を冷却することにより暖められた空気が、他方の機器収容用ラックの給気口が向けられた通路空間内に混入することを防止して冷却効率の向上を図ることができる電算機室用空調システムを提供することを目的とする。
【課題を解決するための手段】
【０００８】
上記課題を解決するために、本発明は以下の手段を提供する。
本発明は、電算機室内において床下に内部空間を有する通路を挟んで両側に設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記機器収容用ラックに収容された機器を冷却した後、前記機器収容用ラックの上方の空間を流動して前記空気調和装置に再び吸引される電算機室用空調システムであって、前記通路を挟んで両側に配設された前記機器収容用ラック同士の上面間に架け渡され、前記通路と前記機器収容用ラックの上方空間とを区画する上部遮蔽体と、この上部遮蔽体と前記通路の床面とに接続され、前記通路を挟んで両側に配設された一方の機器収容用ラック側の空間と、他方の機器収容用ラック側の空間とに区画する仕切壁と、を備えており、前記上部遮蔽体には、前記仕切壁によって区画された前記一方の機器収容用ラック側の空間と前記機器収容用ラックの上方空間とを連通する通気部が形成されていることを特徴とする。
【０００９】
また、本発明は、前記仕切壁は、前記通路の幅方向に移動可能とされていることを特徴とする。
【００１０】
さらに、前記通気部に、排気ファンが配設されていることを特徴とする。
【００１１】
また、前記通路のうち、前記仕切壁によって区画された前記他方の機器収容用ラック側の空間の端部には、端部遮蔽体が配設されていることを特徴とする。
【００１２】
さらに、前記通路を挟んで両側に設置された前記機器収容ラックのうちの少なくとも一列は、免震台上に載置され、前記通路を挟んだ一方の前記機器収容用ラックの上面に、前記通路の延在方向に向けて延びる支持バーが配設され、前記上部遮蔽体は、その一端が、前記支持バーの上に摺動可能に載置され、他端が、前記通路を挟んだ他方の前記機器収容用ラックに固定支持されており、前記支持バーの前記通路の延在方向長さが、前記通路の延在方向における前記機器収容用ラック同士の相対可動範囲長さに対応する長さに設定され、前記上部遮蔽体における前記通路の延在方向と直交する方向の長さが、前記通路の延在方向と直交する方向における前記機器収容用ラック同士の相対可動範囲長さに対応する長さに設定されており、前記免震台とともに前記機器収容用ラックが移動した場合にも、前記上部遮蔽体が前記支持バーから落下しない構成とされていることを特徴とする。
【発明の効果】
【００１３】
本発明によれば、機器収容用ラックの上面間に架け渡された上部遮蔽体と前記通路の床面とに接続された仕切壁によって前記通路を区画しており、前記上部遮蔽体には、前記仕切壁によって区画された前記一方の機器収容用ラック側の空間と前記機器収容用ラックの上方空間とを連通する通気部が形成されているので、一方の機器収容用ラックが、その排気口が通路側に向くようにして配置されていても、この一方の機器収容用ラックから排出される温熱空気は、通気口を介して上方空間へと排気され、前記通路の他方の機器収容用ラック側の空間には温熱空気が混入しない。そして、通路側に向けて冷却用空気の給気口が配設された他方の機器収容用ラックにおいては、前記通路の他方の機器収容用ラック側の空間から冷たい空気（冷却用空気）が導入されることになり、冷却効率の向上を図ることができる。
【図面の簡単な説明】
【００１４】
【図１】本発明に係る電算機室用空調システムの全体構成図である。
【図２】本発明に係る電算機室用空調システムの第１の実施形態を示す斜視説明図である。
【図３】図２に示す電算機室用空調システムの側面図である。
【図４】図２に示す電算機室用空調システムの側面説明図である。
【図５】図２に示す電算機室用空調システムにおいて仕切壁を移動させた状態を示す側面説明図である。
【図６】本発明に係る電算機室用空調システムの第２の実施形態を示す側面図である。
【図７】図６に示す電算機室用空調システムの側面説明図である。
【図８】図６に示す電算機室用空調システムにおいて仕切壁を移動させた状態を示す側面説明図である。
【図９】本発明に係る電算機室用空調システムの第３の実施形態を示す側面説明図である。
【図１０】図９に示す電算機室用空調システムの上部遮蔽体の上面図である。
【図１１】本発明に係る電算機室用空調システムの第４の実施形態を示す斜視説明図である。
【図１２】図１１に示す電算機室用空調システムの上面図である。
【図１３】図１１に示す電算機室用空調システムにおいて機器収容用ラックが相対移動した状態を示す上面説明図である。
【図１４】本発明に係る電算機室用空調システムの他の実施形態を示す説明図である。
【発明を実施するための形態】
【００１５】
（実施形態１）
以下、本発明の実施形態における電算機室用空調システムについて、図面を参照して説明する。
図１に示す電算機室用空調システム１００は、箱状に形成された電算機室１０１において利用されるものである。
まず、電算機室１０１について説明する。
電算機室１０１には、床下に内部空間５を有する二重床２を備えている。二重床２には、長手方向に延びる通路４が形成されている。二重床２には、その厚さ方向に貫通する矩形または円形状の長孔８が形成されている。そして、長孔８の縁部の全周には、この長孔８を覆う矩形板状の孔あきパネル７が嵌め込まれている。孔あきパネル７には、厚さ方向に貫通する複数の孔が形成されている。これにより、床下の内部空間５と通路４とが、それら複数の孔を介して連通している。
【００１６】
次いで、電算機室１０１において利用される電算機室用空調システム１００について、図１から図６を参照して説明する。
電算機室用空調システム１００は、通路４を挟んで両側に配置されたラック（機器収容用ラック）３（３Ａ、３Ｂ）と、空気調和装置６と、通路４を挟んで両側のラック３Ａ、３Ｂの上面間に架け渡された上部遮蔽体２０とを備えており、これらラック３（３Ａ、３Ｂ）と上部遮蔽体２０とによって、通路空間Ｓが画成されている。
【００１７】
ラック３は、箱状に形成されており、通信装置等の各種機器を収容するものである。これらラック３は、通路４の長手方向に沿って複数配列されている。ラック３は、前面に形成された給気口（不図示）から空気を給気し、給気した空気を背面の排気口から後方に向けて吹き出すようになっている。
【００１８】
ここで、通路４を挟んで両側に配置されたラック３のうち一方のラック３Ａは、通路４側に排気口が向けられ、通路４とは反対側に給気口が向けられている。また、他方のラック３Ｂは、通路４側に給気口が向けられ、通路４とは反対側に排気口が向けられている。すなわち、図３及び図４に示すように、一方のラック３Ａは、通路４の外部から冷却用空気を取り入れ、通路４側に向けて排気する構成とされており、他方のラック３Ｂは、通路４側から冷却用空気を取り入れ、通路４の外部に向けて排気する構成とされているのである。
【００１９】
空気調和装置６は、箱状に形成されている。この空気調和装置６は、ラック３の側方であって、通路４の長手方向の一端に対向して通路空間Ｓの外部に配置されている。そして、空気調和装置６は、下面６ｂの吹出口から冷却用空気を吹き出し、電算機室１０１の上方空間を流動する空気を、その上面６ａの吸引口から吸引し、冷却した後、再び吹出口から吹き出すようになっている。
【００２０】
上部遮蔽体２０は、図１及び図２に示すように、矩形板状をなし、通路４を挟んで両側に配置されたラック３Ａ、３Ｂの上面に掛け渡された複数枚の遮蔽板ユニット２１が、通路４の延在方向に並列配置されて構成されている。
この遮蔽板ユニット２１には、図１及び図２に示すように、延在方向（通路４の幅方向）中央部に、カーテン部２５が配置されている。
【００２１】
カーテン部２５は、矩形状のシート部２６と、このシート部２６を収容する収容部２７と、シート部２６の先端辺の全長にわたって設けられた棒状のエンドレール２８とを備えており、上部遮蔽体２０（遮蔽板ユニット２１）に取り付けられる。なお、カーテン部２５をロール式とし、収容部２７からシート部２６が引き出される構成としてもよい。また、シート部２６の先端辺に設けられたエンドレールが、通路４の二重床２の床面に係止される構成としてもよい。
【００２２】
このようにしてカーテン部２５が設置されることより、図４に示すように、通路４は、一方のラック３Ａ側の空間Ｓ１と他方のラック側３Ｂの空間Ｓ２とに区画されることになる。すなわち、このカーテン部２５のシート部２６が、通路４を一方のラック３Ａ側の空間Ｓ１と他方のラック３Ｂ側の空間Ｓ２とに区画する仕切壁とされているのである。
【００２３】
遮蔽板ユニット２１においては、カーテン部２５の一方側（図２において左下側）部分には、通路４の一方のラック３Ａ側の空間Ｓ１と上方空間とを連通する通気口２３が形成されている。また、カーテン部２５の他方側（図２において右上側）部分は、プレート部２４とされており、通路４の他方のラック３Ｂ側の空間Ｓ２と上方空間とを区画するように構成されている。
【００２４】
また、カーテン部２５のシート部２６によって区画された他方のラック側３Ｂの空間Ｓ２の端部には、端部遮蔽体４０が配設されている。この端部遮蔽体４０は、図２及び図３に示すように、上部に配設されたレール部４１と、このレール部４１に沿ってスライドするスライドドア４２と、で構成されている。すなわち、通路４において、カーテン部２５のシート部２６によって区画された他方のラック３Ｂ側の空間Ｓ２のみが、上部遮蔽体２０のプレート部２４と端部遮蔽体４０とによって、通路４の外部の空間と区画されているのである。
【００２５】
ここで、カーテン部２５は、ロール式とすることで、図５に示すように、エンドレール２８の二重床２の床面の係止位置を変更することによって、一方のラック３Ａ側の空間Ｓ１及び他方のラック側３Ｂの空間Ｓ２の大きさを調整することが可能としてもよい。
【００２６】
次に、このように構成された本実施形態における電算機室用空調システム１００の作用について説明する。
電算機室１０１において、ラック３に収容された通信装置などが動作することにより発熱し、それら各機器が熱を帯びてしまう。そのため、動作している各機器を冷却する必要がある。
そこで、空気調和装置６の下面６ｂの吹出口から、内部空間５に冷却用空気を吹き出す。この冷却用空気は、内部空間５を通って、孔あきパネル７の複数の孔から上方（通路４）に吹き出される。そして、通路４に送られた冷却用空気は、ラック３の前面の給気口から給気され、熱交換作用により、各機器を冷却する。これにより、給気された空気は、暖められて温熱空気となる。その温熱空気は、ラック３の背面の排気口から吹き出される。さらに、吹き出された温熱空気は、電算機室１０１の上方空間を流動し、空気調和装置６の上面６ａの吸引口から吸引され、冷却された後、再び下面６ｂの吹出口から吹き出される。
これにより、電算機室１０１内の空気の流れや温度がコントロールされ、各機器の良好な動作状態が維持される。
【００２７】
ここで、本実施形態においては、一方のラック３Ａにおいては、通路４側に向けて排気口が向けられており、温熱空気が通路４に向けて排気されることになる。この温熱空気は、カーテン部２５のシート部２６によって区画された一方のラック３Ａ側の空間Ｓ１側に排気され、上部遮蔽体２０に形成された通気口２３を介して通路４の上方空間へと排出されることになる。
【００２８】
一方、カーテン部２５のシート部２６によって区画された他方のラック３Ｂ側の空間Ｓ２においては、上部遮蔽体２０のプレート部２４、端部遮蔽体４０及びカーテン部２５のシート部２６によって、通路４の外部空間及び一方のラック３Ａ側の空間Ｓ１と区画されていることから、前述の温熱空気が流入することが規制される。すなわち、他方のラック３Ｂ側の空間Ｓ２には、二重床２の床上から上部遮蔽体２０のプレート部２４にわたって、冷却用空気で常に満たされることになる。
【００２９】
以上より、本実施形態における電算機室用空調システム１００によれば、通路４を挟んで両側に配置されたラック３のうち一方のラック３Ａが、通路４側に排気口が向くように配置され、他方のラック３Ｂが、通路４側に給気口が向くように配置された場合であっても、一方のラック３Ａから排気される温熱空気が、他方のラック３Ｂの給気口が向けられた通路４の他方のラック３Ｂ側の空間Ｓ２に流入することが規制され、他方のラック３Ｂ側の空間Ｓ２が冷却用空気で常に満たされることになるので、他方のラック３Ｂに収容された機器類の冷却効率の向上を図ることができる。
【００３０】
また、本実施形態では、遮蔽板ユニット２１に設けられたカーテン部２５のエンドレール２８を二重床２の床面に係止する位置を変更することによって、一方のラック３Ａ側の空間Ｓ１及び他方のラック側３Ｂの空間Ｓ２の大きさを調整することが可能となっているので、一方側のラック３Ａにおいて作業する場合には、図５に示すように、一方のラック３Ａ側の空間Ｓ１を大きくし、作業性を確保することができる。また、二重床２から通路４へと冷却用空気を送り込む孔あきパネルの位置が、一方のラック３Ａ側にまで設けられている場合には、他方のラック３Ｂ側の空間Ｓ２を大きくすることで、冷却用空気を積極的に取り入れることができ、他方のラック３Ｂの冷却効率をさらに向上させることができる。
【００３１】
（実施形態２）
次に、本発明の第２の実施形態について説明する。
図６から図８は、本発明の第２の実施形態である電算機室用空調システム２００を示したものである。
図６から図８において、図１から図５に記載の構成要素と同一部分については同一符号を付し、その説明を省略する。
この実施形態と上記第１の実施形態とは基本的構成は同一であり、ここでは主として異なる点について説明する。
【００３２】
本実施形態においては、ラック３が通路４を挟んで配置されており、一方側（図６から図８において左側）のラック３Ａは、通路４に向けて排気口（図示なし）が配設されている。また、他方側（図６から図８において右側）のラック３Ｂは、通路４に向けて給気口（図示なし）が配設されている。
【００３３】
通路４の上方に配置された上部遮蔽体１２０は、図６から図８に示すように、板状をなし、通路４を挟んで両側に配置されたラック３Ａ、３Ｂの上面に掛け渡されている。そして、この上部遮蔽体１２０には、下方に向けて垂下されたパネル部１２６が設けられており、このパネル部１２６によって、通路４が、一方のラック３Ａ側の空間Ｓ１と他方のラック３Ｂ側の空間Ｓ２とに区画されている。すなわち、本実施形態においては、パネル部１２６が、通路４を一方のラック３Ａ側と他方のラック３Ｂ側とに区画する仕切壁とされているのである。
【００３４】
上部遮蔽体１２０には、パネル部１２６によって区画された一方のラック３Ａ側の空間Ｓ１と上方空間とを連通する通気口が形成されている。
また、パネル部１２６によって区画された他方のラック側３Ｂの空間Ｓ２の端部には、端部遮蔽体１４０が配設されている。この端部遮蔽体１４０は、図６に示すように、上部に配設されたレール部１４１と、このレール部１４１に沿ってスライドするスライドドア１４２と、で構成されている。すなわち、通路４において、パネル部１２６によって区画された他方のラック３Ｂ側の空間Ｓ２のみが、上部遮蔽体１２０と端部遮蔽体１４０とによって、通路４の外部空間と区画されているのである。
【００３５】
ここで、パネル部１２６は、図８に示すように、通路４の幅方向に向けて移動可能とされており、パネル部１２６によって区画された一方のラック３Ａ側の空間Ｓ１及び他方のラック３Ｂ側の空間Ｓ２の大きさを調整することが可能となっている。
【００３６】
このような構成とされた本実施形態における電算機室用空調システム２００においては、前述の第１の実施形態と同様に、通路４を挟んで両側に配置されたラック３のうち一方のラック３Ａが、通路４側に排気口が向くように配置され、他方のラック３Ｂが、通路４側に給気口が向くように配置された場合であっても、一方のラック３Ａから排気される温熱空気が、他方のラック３Ｂの給気口が向けられた通路４の他方のラック３Ｂ側の空間Ｓ２に流入することがパネル部１２６によって規制され、他方のラック３Ｂ側の空間Ｓ２が冷却用空気で常に満たされることになるので、他方のラック３Ｂに収容された機器類の冷却効率の向上を図ることができる。
【００３７】
また、本実施形態では、パネル部１２６によって、通路４を一方のラック３Ａ側の空間Ｓ１と他方のラック３Ｂ側の空間Ｓ２とに区画しており、このパネル部１２６が、通路４の幅方向に移動可能とされているので、一方のラック３Ａ側の空間Ｓ１と他方のラック３Ｂ側の空間Ｓ２の大きさを調整することができ、作業性の向上及び冷却効率の向上を図ることが可能となる。
【００３８】
（実施形態３）
次に、本発明の第３の実施形態について説明する。
図９及び図１０は、本発明の第３の実施形態である電算機室用空調システム３００を示したものである。
図９及び図１０において、図１から図５に記載の構成要素と同一部分については同一符号を付し、その説明を省略する。
この実施形態と上記第１の実施形態とは基本的構成は同一であり、ここでは主として異なる点について説明する。
【００３９】
本実施形態においては、ラック３が通路４を挟んで配置されており、一方側（図９及び図１０において左側）のラック３Ａは、通路４に向けて排気口（図示なし）が配設されている。また、他方側（図９及び図１０において右側）のラック３Ｂは、通路４に向けて給気口（図示なし）が配設されている。
【００４０】
通路４の上方に配置された上部遮蔽体２２０は、図９及び図１０に示すように、板状をなし、通路４を挟んで両側に配置されたラック３Ａ、３Ｂの上面に掛け渡されている。そして、この上部遮蔽体２２０には、下方に向けて垂下されたパネル部２２６が設けられており、このパネル部２２６によって、通路４が、一方のラック３Ａ側の空間Ｓ１と他方のラック３Ｂ側の空間Ｓ２とに区画されている。すなわち、本実施形態においては、パネル部２２６が、通路４を一方のラック３Ａ側と他方のラック３Ｂ側とに区画する仕切壁とされているのである。
なお、本実施形態では、一方のラック３Ａ側の空間Ｓ１が、他方のラック３Ｂ側の空間Ｓ２に比べて狭くなるように、パネル部２２６が配設されている。
【００４１】
上部遮蔽体２２０において、パネル部２２６の一方側（図９及び図１０において左側）部分には、パネル部２２６によって区画された一方のラック３Ａ側の空間Ｓ１と上方空間とを連通する通気口２２３が形成されており、この通気口２２３に排気ファン２２１が配設されている。また、パネル部２２６の他方側（図９及び図１０において右側）部分は、プレート部２２４とされており、通路４の他方のラック３Ｂ側の空間Ｓ２と上方空間とを区画するように構成されている。
【００４２】
このような構成とされた本実施形態における電算機室用空調システム３００においては、前述の第１の実施形態と同様に、通路４を挟んで両側に配置されたラック３のうち一方のラック３Ａが、通路４側に排気口が向くように配置され、他方のラック３Ｂが、通路４側に給気口が向くように配置された場合であっても、一方のラック３Ａから排気される温熱空気が、他方のラック３Ｂの給気口が向けられた通路４の他方のラック３Ｂ側の空間Ｓ２に流入することがパネル部２２６によって規制され、他方のラック３Ｂ側の空間Ｓ２が冷却用空気で常に満たされることになるので、他方のラック３Ｂに収容された機器類の冷却効率の向上を図ることができる。
【００４３】
また、上部遮蔽体２２０に形成された通気口２２３に排気ファン２２１が配設されているので、一方のラック３Ａ側の空間Ｓ１に向けて排気された温熱空気を上方空間へと積極的に排気することができる。よって、本実施形態のように、一方のラック３Ａ側の空間Ｓ１が、他方のラック３Ｂ側の空間Ｓ２に比べて狭くなるように、パネル部２２６を配設しても、温熱空気を確実に上方空間に排気することができる。これにより、他方のラック３Ｂ側の空間Ｓ２を大きくして積極的に冷却用空気を取り入れることが可能となり、他方のラック３Ｂに収容された機器類を効率良く冷却することができる。
【００４４】
（実施形態４）
次に、本発明の第４の実施形態について説明する。
図１１から図１３は、本発明の第４の実施形態である電算機室用空調システム４００を示したものである。
図１１から図１３において、図１から図５に記載の構成要素と同一部分については同一符号を付し、その説明を省略する。
この実施形態と上記第１の実施形態とは基本的構成は同一であり、ここでは主として異なる点について説明する。
【００４５】
本実施形態においては、ラック３が通路４を挟んで配置されており、一方側（図１１において左下側、図１２、図１３において左側）のラック３Ａは、通路４に向けて排気口（図示なし）が配設されている。また、他方側（図１１において右上側、図１２、図１３において右側）のラック３Ｂは、通路４に向けて給気口（図示なし）が配設されている。また、通路４を挟んで配置されたラック３Ａ、３Ｂは、それぞれ免震台３１０の上に固定されている。
【００４６】
免震台３１０は、地震等が発生して電算機室に振動や揺動が生じた場合に、二重床の床面に沿うように水平移動するものであり、振動や揺動による負荷が、免震台３１０上に固定されたラック３に作用することを抑制するものである。
ここで、図１２及び図１３に、免震台３１０の可動範囲Ｍを示す。すなわち、この免震台３１０は、通路４の延在方向及び通路４の幅方向に、ラック３を変形させることなく移動させることが可能な構成とされているのである。
【００４７】
本実施形態における上部遮蔽体３２０は、矩形板状をなし、通路４を挟んで両側に配置されたラック３Ａ、３Ｂの上面に掛け渡された遮蔽板ユニット３２１が、通路４の延在方向に複数枚が並列配置されて構成されている。
この遮蔽板ユニット３２１は、図１１に示すように、延在方向（通路４の幅方向）中央部に、カーテン部３２５が配置されている。
【００４８】
カーテン部３２５は、矩形状のシート部３２６と、このシート部３２６を収容する収容部３２７と、シート部３２６の先端辺の全長にわたって設けられた棒状のエンドレール３２８とを備えており、上部遮蔽体３２０（遮蔽板ユニット３２１）に収容部３２７が固定され、この収容部３２７からシート部３２６が引き出され、シート部３２６の先端辺に設けられたエンドレール３２８が、通路４の二重床の床面に係止される構成とされている。
このようにしてカーテン部３２５が設置されることにより、通路４は、一方のラック３Ａ側の空間Ｓ１と他方のラック側３Ｂの空間Ｓ２とに区画される。すなわち、このカーテン部３２５のシート部３２６が、通路４を一方のラック３Ａ側の空間Ｓ１と他方のラック３Ｂ側の空間Ｓ２とに区画する仕切壁とされているのである。
【００４９】
また、遮蔽板ユニット３２１においては、カーテン部３２５の一方側（図１１において左下側、図１２、図１３において左側）は、通路４の一方のラック３Ａ側の空間Ｓ１と上方空間とを連通する通気口３２３が形成されている。
また、カーテン部３２５の他方側（図１１において右上側、図１２、図１３において右側）は、プレート部３２４とされており、通路４の他方のラック３Ｂ側の空間Ｓ２と上方空間とを区画するように構成されている。
【００５０】
通路４を挟んで配置されたラック３のうちの一方のラック３Ａの上面には、通路４の延在方向に沿って延びる支持バー３１２が配設されている。また、通路４を挟んで配置されたラック３のうちの他方のラック３Ｂの上面には、通路４の延在方向に沿って延びる固定バー３１１が配設されている。なお、これら支持バー３１２及び固定バー３１１は、その上面が平らな形状とされており、本実施形態では、断面矩形状をなしている。
上部遮蔽体３２０を構成する遮蔽板ユニット３２１は、その一端が支持バー３１２の上に摺動可能に載置され、他端が固定バー３１１の上に、ボルト等の固定具（図示なし）によって固定されている。
【００５１】
ここで、支持バー３１２の延在方向長さ（通路４の延在方向長さ）は、通路４を挟んで配置されたラック３Ａ、３Ｂ同士の相対可動範囲長さに対応する長さに設定されている。すなわち、図１３に示すように、ラック３Ａが、免震台３１０の可動範囲Ｍにおける通路４の延在方向の一端側（図１３において上側）に位置し、ラック３Ｂが、免震台３１０の可動範囲Ｍにおける通路４の延在方向の他端側（図１３において下側）に位置した場合であっても、上部遮蔽体３２０を構成する遮蔽板ユニット３２１が、支持バー３１２の上から落下しないように構成されているのである。
なお、本実施形態では、支持バー３１２の延在方向長さは、通路４を挟んで対向配置されたラック３Ａ、３Ｂ同士の相対可動範囲長さよりも長く設定されている。
【００５２】
また、上部遮蔽体３２０を構成する遮蔽板ユニット３２１の長さ（通路４の延在方向に直交する方向の長さ）は、通路４を挟んで配置されたラック３Ａ、３Ｂ同士の相対可動範囲幅に対応する長さに設定されている。すなわち、図１３に示すように、ラック３Ａ及びラックＢが、互いに離間するように、通路４の幅方向に移動した場合であっても、上部遮蔽体３２０を構成する遮蔽板ユニット３２１の一端が、支持バー３１２の上から落下しないように構成されているのである。
なお、本実施形態では、遮蔽板ユニット３２１の長さは、通路４を挟んで対向配置されたラック３Ａ、３Ｂ同士の相対可動範囲幅よりも長く設定されている。
【００５３】
端部遮蔽体３４０は、図１１に示すように、上部に配設されたレール部３４１と、このレール部３４１に沿ってスライドするスライドドア３４２と、で構成されている。なお、本実施形態では、この端部遮蔽体３４０は、他方側のラック３Ｂ側の空間Ｓ２に対応する部分にのみ配設されている。すなわち、通路４において、カーテン部３２５のシート部３２６によって区画された他方のラック３Ｂ側の空間Ｓ２のみが、通路４の外部の空間と区画されているのである。
【００５４】
このような構成とされた本実施形態における電算機室用空調システム４００においては、前述の第１の実施形態と同様に、通路４を挟んで両側に配置されたラック３のうち一方のラック３Ａが、通路４側に排気口が向くように配置され、他方のラック３Ｂが、通路４側に給気口が向くように配置された場合であっても、一方のラック３Ａから排気される温熱空気が、他方のラック３Ｂの給気口が向けられた通路４の他方のラック３Ｂ側の空間Ｓ２に流入することがシート部３２６によって規制され、他方のラック３Ｂ側の空間Ｓ２が冷却用空気で常に満たされることになるので、他方のラック３Ｂに収容された機器類の冷却効率の向上を図ることができる。
【００５５】
また、本実施形態では、上部遮蔽体３２０を構成する遮蔽板ユニット３２１が摺動可能に載置される支持バー３１２の延在方向長さ（通路４の延在方向長さ）が、通路４を挟んで配置されたラック３Ａ、３Ｂ同士の相対可動範囲長さに対応する長さに設定され、かつ、遮蔽板ユニット３２１の長さ（通路４の延在方向に直交する方向の長さ）が、通路４を挟んで配置されたラック３Ａ、３Ｂ同士の相対可動範囲幅に対応する長さに設定されていて、上部遮蔽体３２０を構成する遮蔽板ユニット３２１が、支持バー３１２の上から落下しないように構成されているので、ラック３Ａ、３Ｂが免震台３１０とともに、互いに離間するように移動した場合であっても、上部遮蔽体３２０が支持バー３１２上を摺動することになり、上部遮蔽体３２０の破損を防止することができる。
【００５６】
以上、本発明の実施形態である電算機室用空調システムについて説明したが、本発明の技術的範囲はこれに限定されることはなく、本発明の技術的思想を逸脱しない範囲で適宜変更可能である。
例えば、端部遮蔽体を、スライドドアで構成したものとして説明したが、これに限定されることはなく、ロールカーテン等で構成してもよい。
【００５７】
また、上部遮蔽体を、複数の遮蔽板ユニットを並列配置して構成したものとして説明したが、これに限定されることはなく、上部遮蔽体が一体に構成されていてもよい。
さらに、第２の実施形態において、仕切壁となるパネル部を通路の幅方向に移動する構成として説明したが、図１４に示すように、上部遮蔽体４２０とともにパネル部４２６を通路４の幅方向に移動させる構成としてもよい。
【００５８】
さらに、第４の実施形態において、支持バーの延在方向長さを、通路を挟んで配置されたラック同士の相対可動範囲長さよりも長く設定し、上部遮蔽体を構成する遮蔽板ユニットの長さを、通路を挟んで配置されたラック同士の相対可動範囲幅よりも長く設定したものとして説明したが、これに限定されることはなく、例えば、支持バーの長さは、前記ラック同士の相対可動範囲長さよりも短く、あるいは、同一でもよく、上部遮蔽体を構成する遮蔽板ユニットの長さは、前記ラック同士の相対可動範囲幅よりも短く、あるいは、同一でもよく、免震台とともにラックが移動しても上部遮蔽体が支持バー上から落下しない長さに設定されていればよい。
【符号の説明】
【００５９】
１００、２００、３００、４００  電算機室用空調システム
１０１  電算機室
３  ラック（機器収容用ラック）
４  通路
５  内部空間
６  空気調和装置
２０、１２０、２２０、３２０、４２０  上部遮蔽体
２３、２２３、３２３  通気口（通気部）
２６、３２６  シート部（仕切壁）
１２６、２２６、４２６  パネル部（仕切壁）
２２１  排気ファン
３１０  免震台
３１２  支持バー
【図１】
2011089687.tif 000003
【図２】
2011089687.tif 000004
【図３】
2011089687.tif 000005
【図４】
2011089687.tif 000006
【図５】
2011089687.tif 000007
【図６】
2011089687.tif 000008
【図７】
2011089687.tif 000009
【図８】
2011089687.tif 000010
【図９】
2011089687.tif 000011
【図１０】
2011089687.tif 000012
【図１１】
2011089687.tif 000013
【図１２】
2011089687.tif 000014
【図１３】
2011089687.tif 000015
【図１４】
2011089687.tif 000016